(57)【要約】【課題】圧縮機の回転数の変動を少なくして省エネ性を向上し運転時の低騒音化を図る。【解決手段】ヒートポンプ装置５と、衣類等を収容し乾燥させる回転ドラム１と、回転ドラムを駆動するモータ３と、回転ドラム内にヒートポンプ装置により加熱された温風を供給する送風ファン１１と、送風ファンにより送風される乾燥用空気を吸熱器９から放熱器７へ流した後に回転ドラムへと導く循環風路１４と、圧縮機６の回転数を検知する回転数検知手段１８と、放熱器に流れる冷媒の温度を検知する冷媒温度検知手段１７と、圧縮機等を制御し乾燥運転を制御する制御手段１９とを備え、制御手段は、恒率乾燥時に冷媒の温度が標準温度に達しないように圧縮機の回転数の上限値を制限して圧縮機の回転数が安定するように制御するようにしたものである。【選択図】図２
2013081638.tif 000002
【特許請求の範囲】
【請求項１】
圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、衣類等を収容し乾燥させる回転ドラムと、前記回転ドラムを回転駆動するモータと、前記回転ドラム内に前記ヒートポンプ装置により加熱された温風を供給する送風ファンと、前記送風ファンにより送風される乾燥用空気を前記吸熱器から前記放熱器へと流した後に前記回転ドラムへと導く循環風路と、前記圧縮機の回転数を検知する回転数検知手段と、前記放熱器に流れる冷媒の温度を検知する冷媒温度検知手段と、前記圧縮機等を制御し乾燥運転を制御する制御手段とを備え、前記制御手段は、恒率乾燥時に冷媒の温度が標準温度に達しないように前記圧縮機の回転数の上限値を制限して制御するようにした衣類乾燥機。
【請求項２】
制御手段は、乾燥運転開始時は圧縮機の回転数を恒率乾燥時の圧縮機の回転数より高い回転数に設定し、恒率乾燥までに前記圧縮機の回転数の上限値を恒率乾燥時の回転数まで低くするようした請求項１記載の衣類乾燥機。
【請求項３】
制御手段は、乾燥運転開始時は圧縮機の回転数を恒率乾燥時の圧縮機の回転数より高い回転数に設定し、恒率乾燥までに前記圧縮機の回転数の上限値を恒率乾燥時の回転数まで段階的に低くするようした請求項１または２記載の衣類乾燥機。
【請求項４】
制御手段は、冷媒の温度が標準温度に達しないように圧縮機の回転数の上限値を制限して減率乾燥時に前記圧縮機の回転数が安定するように制御するようにした請求項１〜３のいずれか１項に記載の衣類乾燥機。
【請求項５】
制御手段は、冷媒の温度が標準温度を超えると圧縮機の回転数を下げて、標準温度を維持するようにした請求項１〜４のいずれか１項に記載の衣類乾燥機。
【請求項６】
回転ドラム内の衣類の乾燥度を検知する乾燥度検知手段を設け、制御手段は、前記乾燥度検知手段により検知した衣類の乾燥度に応じて乾燥運転開始時の圧縮機の回転数を設定するようにした請求項１〜５のいずれか１項に記載の衣類乾燥機。
【請求項７】
回転ドラム内の衣類の量を検知する布量検知手段を設け、制御手段は、前記布量検知手段により検知した衣類の量に応じて乾燥運転開始時の圧縮機の回転数を設定するようにした請求項１〜６のいずれか１項に記載の衣類乾燥機。
【請求項８】
回転ドラムに供給する乾燥用空気の温度を検知する温風温度検知手段を設け、制御手段は、前記温風温度検知手段により検知した温風の温度により圧縮機の回転数を制御するようにした請求項１〜７のいずれか１項に記載の衣類乾燥機。
【発明の詳細な説明】
【技術分野】
【０００１】
本発明は、衣類等の乾燥をおこなう衣類乾燥機に関するものである。
【背景技術】
【０００２】
従来、この種の衣類乾燥機は、ヒートポンプ装置を用いたものが考えられている（例えば、特許文献１参照）。また、圧縮能力可変手段により圧縮機の回転数を制御することが考えられている（例えば、特許文献２参照）。図１２は、特許文献２に記載された従来の衣類乾燥装置の構成を示すものである。
【０００３】
図１２において、乾燥庫として使用される回転槽５１は、本体内に回転自在に設けられモータによって回転駆動される。循環ダクト５２は、乾燥用空気を回転槽５１へ循環するように導く風路である。送風機５３は、回転槽５１と循環ダクト５２を乾燥用空気が循環するように送風し、モータによって駆動される。
【０００４】
吸熱器５４は、冷媒を蒸発させ乾燥用空気を冷却除湿する、放熱器５５は、冷媒を凝縮させ乾燥用空気を加熱する、５６は冷媒を圧縮する圧縮機、５７は冷媒の圧力を減圧して冷媒の圧力差を維持するためのキャピラリーチューブ等の絞り手段、５８は冷媒が通る配管であり、圧縮機５６、放熱器５５、絞り手段５７、吸熱器５４を冷媒が循環するように配管５８で連結し、ヒートポンプ装置を構成している。
【０００５】
次に、その動作を説明する。まず、乾燥対象の衣類イを回転槽５１内に置いて、モータを回転させると、回転槽５１および送風機５３が回転して乾燥用空気の流れ（矢印Ａ）が生じる。乾燥用空気は、送風機５３によって回転槽５１内へ送風され、衣類イから水分を奪って多湿となった後、循環ダクト５２を通ってヒートポンプ装置の吸熱器５４へ運ばれる。
【０００６】
吸熱器５４で低温の冷媒に熱を奪われた乾燥用空気は除湿された後、放熱器５５へ運ばれ、吸熱器５４で吸熱された熱量に、圧縮機５６からの熱量が加わって高温となった冷媒からの放熱で加熱され、再び回転槽５１内へと循環される。以上の繰り返しで衣類イの乾燥が進行していく。
【０００７】
ヒートポンプ装置を用いることによって、衣類イに当たった後の乾燥用空気から顕熱および潜熱を吸熱器５４で回収し、放熱器５５において再び乾燥用空気を加熱するための熱量に利用できるため、電熱ヒータによる加熱よりも少ない入力で同量の衣類を同じ時間で乾燥することが可能となる。
【０００８】
さらに、家庭用コンセントの電流容量から、電熱ヒータでの出力可能な熱量は限界があるが、ヒートポンプ装置を用いれば、より少ない入力でより多くの出力が得られるため、より多くの加熱量で乾燥して時間短縮も実現することができる。
【０００９】
また、衣類のしわを低減することを目的に、循環ダクト５２に設けた温度検知手段５９の出力に応じて、回転槽５１内に送風される空気温度が７０℃以下になるように、圧縮能力可変手段６０により圧縮機５６の回転数を制御するようにしている。圧縮機５６は、乾燥工程の開始時には最大能力で作動するが、回転槽５１内に送風される空気温度が上昇するにしたがって能力を低下させて、７０℃以上にならないように圧縮機の回転数を増減するようにしたものである。
【先行技術文献】
【特許文献】
【００１０】
【特許文献１】特開平７−１７８２８９号公報
【特許文献２】特開２００４−３５８０２８号公報
【発明の概要】
【発明が解決しようとする課題】
【００１１】
しかしながら、前記従来の構成では、乾燥用空気が所定温度以下になるように圧縮機の回転数を圧縮能力可変手段によって制御しているため、温度を一定に維持しようとして回転数の増減が頻繁におこなわれ、回転数の増減に伴う電力のロスが発生するとともに、ヒートポンプ装置の配管の共振点と一致する圧縮機の回転数を何度も通過し、騒音が大きくなるという課題があった。
【００１２】
本発明は、前記従来の課題を解決するもので、圧縮機の回転数の変動を少なくして省エネ性を向上し、また、配管の共振点と一致する回転数を最小限にして騒音を抑えることができる衣類乾燥機を提供することを目的とする。
【課題を解決するための手段】
【００１３】
前記従来の課題を解決するために、本発明の衣類乾燥機は、ヒートポンプ装置と、衣類等を収容し乾燥させる回転ドラムと、前記回転ドラムを回転駆動するモータと、前記回転ドラム内に前記ヒートポンプ装置により加熱された温風を供給する送風ファンと、前記送風ファンにより送風される乾燥用空気を吸熱器から放熱器へと流した後に前記回転ドラムへと導く循環風路と、圧縮機の回転数を検知する回転数検知手段と、前記放熱器に流れる冷媒の温度を検知する冷媒温度検知手段と、前記圧縮機等を制御し乾燥運転を制御する制御手段とを備え、前記制御手段は、恒率乾燥時に冷媒の温度が標準温度に達しないように前記圧縮機の回転数の上限値を制限して制御するようにしたものである。
【００１４】
これによって、圧縮機の回転数の増減による電力のロスを抑えて省エネ性を向上することができ、また、配管の共振点と一致してしまう回転数で回転する時間を少なくして騒音を抑えることができる。
【発明の効果】
【００１５】
本発明の衣類乾燥機は、圧縮機の回転数の変動を少なくして省エネ性を向上するとともに、運転時の騒音を低くすることができる。
【図面の簡単な説明】
【００１６】
【図１】本発明の実施の形態１の衣類乾燥機の縦断面図
【図２】同衣類乾燥機のシステム概念図
【図３】同衣類乾燥機のブロック図
【図４】同衣類乾燥機を運転した時のヒートポンプ装置の冷媒の温度と圧縮機の回転数の変化を示す図
【図５】本発明の実施の形態２の衣類乾燥機を運転した時のヒートポンプ装置の冷媒の温度と圧縮機の回転数の変化を示す図
【図６】本発明の実施の形態３の衣類乾燥機を運転した時のヒートポンプ装置の冷媒の温度と圧縮機の回転数の変化を示す図
【図７】本発明の実施の形態４の衣類乾燥機のシステム概念図
【図８】同衣類乾燥機のブロック図
【図９】同衣類乾燥機を運転した時のヒートポンプ装置の冷媒の温度と圧縮機の回転数の変化を示す図
【図１０】本発明の実施の形態５の衣類乾燥機のシステム概念図
【図１１】同衣類乾燥機を運転した時の乾燥用空気の温度とヒートポンプ装置の冷媒の温度と圧縮機の回転数の変化を示す図
【図１２】従来の衣類乾燥機のシステム概念図
【発明を実施するための形態】
【００１７】
第１の発明は、圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、衣類等を収容し乾燥させる回転ドラムと、前記回転ドラムを回転駆動するモータと、前記回転ドラム内に前記ヒートポンプ装置により加熱された温風を供給する送風ファンと、前記送風ファンにより送風される乾燥用空気を前記吸熱器から前記放熱器へと流した後に前記回転ドラムへと導く循環風路と、前記圧縮機の回転数を検知する回転数検知手段と、前記放熱器に流れる冷媒の温度を検知する冷媒温度検知手段と、前記圧縮機等を制御し乾燥運転を制御する制御手段とを備え、前記制御手段は、恒率乾燥時に冷媒の温度が標準温度に達しないように前記圧縮機の回転数の上限値を制限して制御するようにしたことにより、圧縮機の回転数の増減による電力のロスを抑えて省エネ性を向上することができ、また、配管の共振点と一致する回転数で回転している時間を少なくして騒音を抑えることができる。
【００１８】
第２の発明は、特に、第１の発明の制御手段は、乾燥運転開始時は圧縮機の回転数を恒率乾燥時の圧縮機の回転数より高い回転数に設定し、恒率乾燥までに前記圧縮機の回転数の上限値を恒率乾燥時の回転数まで低くするようしたことにより、省エネ性を向上し、低騒音化することができるとともに、乾燥時間も短縮することができる。
【００１９】
第３の発明は、特に、第１または第２の発明の制御手段は、乾燥運転開始時は圧縮機の回転数を恒率乾燥時の圧縮機の回転数より高い回転数に設定し、恒率乾燥までに前記圧縮機の回転数の上限値を恒率乾燥時の回転数まで段階的に低くするようしたことにより、省エネ性を向上し、低騒音化することができる。
【００２０】
第４の発明は、特に、第１〜第３のいずれか１つの発明の制御手段は、冷媒の温度が標準温度に達しないように圧縮機の回転数の上限値を制限して減率乾燥時に前記圧縮機の回転数が安定するように制御するようにしたことにより、省エネ性を向上し、低騒音化することができる。
【００２１】
第５の発明は、特に、第１〜第４のいずれか１つの発明の制御手段は、冷媒の温度が標準温度を超えると圧縮機の回転数を下げて、標準温度を維持するようにしたことにより、省エネ性を向上し、低騒音化することができる。
【００２２】
第６の発明は、特に、第１〜第５のいずれか１つの発明において、回転ドラム内の衣類の乾燥度を検知する乾燥度検知手段を設け、制御手段は、前記乾燥度検知手段により検知した衣類の乾燥度に応じて乾燥運転開始時の圧縮機の回転数を設定するようにしたことにより、衣類の湿り具合に応じて最適な乾燥運転をおこなうことができるとともに、省エネ性を向上し、低騒音化することができる。
【００２３】
第７の発明は、特に、第１〜第６のいずれか１つの発明において、回転ドラム内の衣類の量を検知する布量検知手段を設け、制御手段は、前記布量検知手段により検知した衣類の量に応じて乾燥運転開始時の圧縮機の回転数を設定するようにしたことにより、衣類の量に応じて最適な乾燥運転をおこなうことができるとともに、省エネ性を向上し、低騒音化することができる。
【００２４】
第８の発明は、特に、第１〜第７のいずれか１つの発明において、回転ドラムに供給する乾燥用空気の温度を検知する温風温度検知手段を設け、制御手段は、前記温風温度検知手段により検知した温風の温度により圧縮機の回転数を制御するようにしたことにより、省エネ性を向上し、低騒音化することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態の衣類乾燥機の縦断面図、図２は、同衣類乾燥機のシステム概念図、図３は、同衣類乾燥機のブロック図、図４は、同衣類乾燥機を運転した時のヒートポンプ装置の冷媒の温度と圧縮機の回転数の変化を示す図である。
【００２７】
図１〜図４において、衣類イを収容して乾燥させる回転ドラム１は、衣類乾燥機の本体２内に回転自在に設けられ、モータ３によってドラムベルト４を介して回転駆動される。ヒートポンプ装置５は、冷媒を圧縮する圧縮機６と、圧縮後の高温高圧の冷媒の熱を放熱する放熱器７と、高圧の冷媒の圧力を減圧して冷媒の圧力差を維持するためのキャピラリーチューブ等の絞り手段８と、減圧されて低圧となった冷媒が周囲から熱を奪う吸熱器９と、これらを冷媒が循環するように接続する管路１０からなる。
【００２８】
乾燥用空気は、モータ３によって送風ファン１１を回転させて、回転ドラム１の後方から衣類イに向かって送風される。そして衣類イから水分を蒸発させ、湿気を多く含んだ状態の乾燥用空気は、ドア１２の内部に取り付けられたフィルター１３により衣類イから発生したリントやほこりが回収され、循環風路１４を通ってヒートポンプ装置５の吸熱器９と放熱器７へと導かれる。吸熱器９では乾燥用空気を冷却除湿し、放熱器７で乾燥用空気を再加熱して送風ファン１１により回転ドラム１へと送り込まれる。
【００２９】
本体２と回転ドラム１は、乾燥用空気が漏れないようにフェルトなどのシール部材１５により回転ドラム１の前方と後方をシールしている。吸熱器９で乾燥用空気を冷却除湿した際に生じた除湿水は、排水ポンプ（図示せず）により除湿タンク（図示せず）に排出する。
【００３０】
乾燥度検知手段１６は、回転ドラム１内に形成される乾燥室の前面部に設けてあり、回転ドラム１内で撹拌される衣類イと接触する電極の抵抗値から衣類イの乾燥度を検出する。また、冷媒温度検知手段１７は、放熱器７の管路１０に設け、放熱器７を流れる冷媒の温度を検知している。
【００３１】
圧縮機６の回転数を検知する回転数検知手段１８を備えた制御手段１９は、乾燥度検知手段１６、冷媒温度検知手段１７などの情報をもとに、モータ３、圧縮機６、送風ファン１１等を制御し、衣類イ等の乾燥対象を乾燥させる乾燥運転を実行する。なお、矢印Ｂは、乾燥用空気の流れを示している。
【００３２】
以上のように構成された衣類乾燥機について、以下その動作、作用を説明する。まず、乾燥する衣類イをドア１２を開閉して回転ドラム１内に入れる。次に、乾燥運転を開始すると、モータ３が回転し、回転ドラム１および送風ファン１１が回転して乾燥用空気の流れ（矢印Ｂ）が生じる。乾燥用空気は、回転ドラム１内の衣類イから水分を奪って多湿となった後、フィルター１３を通過し、循環風路１４内を通ってヒートポンプ装置５の吸熱器９へ導かれる。回転ドラム１は、モータ３によりドラムベルト４を介して回転駆動され、衣類イは回転ドラム１内で上下に撹拌される。
【００３３】
ヒートポンプ装置５の圧縮機６を作動させると、冷媒が圧縮され、この圧力により放熱器７、絞り手段８、吸熱器９を循環する。放熱器７では高圧状態で冷媒の熱が放出され、吸熱器９では、絞り手段８で減圧されて低圧状態となり冷媒へ熱が吸収される。このとき送風機１１が作動し、循環風路１４を流れる乾燥用空気を放熱器７の放熱によって加熱する。
【００３４】
回転ドラム１内に送風された温風は、衣類イの間を通るときに水分を奪って多湿となった後、フィルター１３によりリント等の異物が除去され、循環風路１４内を通ってヒートポンプ装置５の吸熱器９へ導かれる。この多湿の乾燥用空気は、吸熱器９を通過する際に顕熱と潜熱が奪われて除湿され、乾いた空気と除湿水に分離される。
【００３５】
この乾いた空気は、放熱器７で再び加熱され、温風となって送風ファン１１により再び回転ドラム１内へ送風される。一方、吸熱器９で結露した除湿水は、排水ポンプ（図示せず）により除湿タンク（図示せず）に排出する。
【００３６】
図４に示すように、制御手段１９は、冷媒温度検知手段１７の出力に応じて圧縮機６の回転数を制御しており、冷媒の温度が標準温度ｔに達しないように圧縮機６の回転数の上限値を段階的にｒ１からｒ２へ制限するようにしている。
【００３７】
乾燥初期は、上限をｒ１に設定して圧縮機６を駆動させているが、冷媒の温度が上昇してくると、段階的に上限回転数を下げていき、冷媒の温度が標準温度ｔに達しない状態で安定する回転数ｒ２まで低下させる。このことにより、冷媒の温度が標準温度ｔに達していないので、圧縮機６の回転数はｒ２で安定した状態になる。
【００３８】
このように、圧縮機６の回転数の上限値を、冷媒の温度が標準温度ｔに達しないように段階的に低下させて制限することにより、乾燥工程の恒率乾燥時において、圧縮機６の回転数を安定した状態にでき、圧縮機６の回転数の増減に伴う電力ロスを抑えて消費電力量を低減することができる。また、回転数の増減にともなうヒートポンプ装置５の管路１０の共振点と一致してしまう回転数を最小限に抑えることができ、乾燥運転時の低騒音化を実現することができる。
【００３９】
また、乾燥初期（予熱乾燥域）の圧縮機６の上限回転数ｒ１を恒率乾燥時の回転数ｒ２より高く設定しているので、乾燥初期からｒ２で乾燥を行なったときより冷媒の温度上昇が速くなり、乾燥時間を短くすることができる。
【００４０】
このように、乾燥初期の圧縮機６の上限回転数を恒率乾燥時の回転数ｒ２より高い回転数ｒ１に設定して乾燥運転をおこなうことにより、乾燥時間を短縮でき、省エネ性を向上し、低騒音化することができる。
【００４１】
また、乾燥工程の後半には衣類イから蒸発する水分量が少なくなる減率乾燥域になる。この減率乾燥時は、乾燥用空気に含まれる水分量が少ないため、圧縮機６の回転数が同じときは恒率乾燥時の冷媒の温度より同等か若干低下する。このため、圧縮機６の上限回転数をｒ２に維持することにより、冷媒の温度は標準温度ｔに達することなく安定した状態になる。
【００４２】
なお、冷媒の温度が標準温度ｔに達しないように、圧縮機６の回転数の上限値をｒ２より若干高く設定してもよい。
【００４３】
以上のように、冷媒の温度が標準温度ｔに達しないように、圧縮機６の回転数の上限値を制限するようにして、減率乾燥時にも圧縮機６の回転数が安定するようにしたことにより、省エネ性を向上し、乾燥運転時の低騒音化を実現することができる。
【００４４】
（実施の形態２）
図５は、本発明の第２の実施の形態の衣類乾燥機を運転した時のヒートポンプ装置の冷媒の温度と圧縮機の回転数の変化を示す図である。本実施の形態の特徴は、冷媒の温度が標準温度を超えると圧縮機６の回転数を下げて、標準温度を維持するようにしたことである。他の構成は実施の形態１と同じであり、同一の構成に同一の符号を付して、詳細な説明は実施の形態１のものを援用する。
【００４５】
乾燥用空気は、ヒートポンプ装置５で除湿加熱され、回転ドラム１内に送風ファン１１により送風される。そして、衣類イと熱交換を行ない、フィルター１３を通過して再びヒートポンプ装置５に導かれる。このとき、衣類イから発生したリントなどの異物はフィルター１３によって回収される。
【００４６】
フィルター１３は使用する度に掃除することが好ましいが、使用者が掃除を忘れた場合など、フィルター１３に衣類イから発生したリント等が多く付着している場合は、風路圧損が増加し風量が低下する場合がある。このとき圧縮機６の上限回転数をｒ２に設定しても、冷媒の温度が標準温度ｔに達する場合がある。冷媒の温度が標準温度ｔに達したときは、圧縮機６の回転数を低下させて標準温度ｔを維持するように圧縮機６の回転数を増減する。圧縮機６の上限回転数はｒ２に設定しているので、ｒ２の設定を行なわない場合に比べ回転数の増減幅は抑えられる。
【００４７】
このように、冷媒の温度が標準温度ｔを超えると圧縮機６の回転数を下げて、標準温度ｔを維持するようにしたことにより、省エネ性を向上することができる。
【００４８】
（実施の形態３）
図６は、本発明の第３の実施の形態の衣類乾燥機を運転した時のヒートポンプ装置の冷媒の温度と圧縮機の回転数の変化を示す図である。本実施の形態の特徴は、回転ドラム１内の衣類イの乾燥度を検知する乾燥度検知手段１６を設け、制御手段１９は、乾燥度検知手段１６により検知した衣類イの乾燥度に応じて乾燥運転開始時の圧縮機６の回転数を設定するようにしたことである。他の構成は実施の形態１と同じであり、同一の構成に同一の符号を付して、詳細な説明は実施の形態１のものを援用する。
【００４９】
乾燥度検知手段１６は、回転ドラム１内に形成される乾燥室の前面部に設け、回転ドラム１内で撹拌される衣類イと接触する位置に配設されている。乾燥度検知手段１６は、電極センサで構成され、接触した衣類イの抵抗値によって衣類イの乾燥度を検知する。
【００５０】
乾燥する衣類イをドア１２を開閉して回転ドラム１内に入れる。次に、乾燥運転を開始すると、モータ３が回転し、回転ドラム１が回転して衣類イが撹拌される。このとき衣類イは乾燥度検知手段１６と接触する。制御手段１９は、乾燥度検知手段１６の出力に応じて、乾燥運転開始時の圧縮機６の上限回転数を設定して圧縮機６を駆動する。
【００５１】
つまり、衣類イの湿り具合が多いときは上限回転数をｒ１に設定し、湿り具合が少ないときは、上限回転数をｒ３に設定して圧縮機６を駆動する。衣類イの湿り具合が少ないときは乾燥時間が短くなるため、圧縮機６の効率の高い回転数に設定して乾燥することにより、さらに省エネ性を向上し、低騒音化することができる。
【００５２】
（実施の形態４）
図７は、本発明の第４の実施の形態の衣類乾燥機のシステム概念図、図８は、同衣類乾燥機のブロック図、図９は、同衣類乾燥機を運転した時のヒートポンプ装置の冷媒の温度と圧縮機の回転数の変化を示す図である。本実施の形態の特徴は、回転ドラム１内の衣類イの量を検知する布量検知手段２０を設け、制御手段１９は、布量検知手段２０により検知した衣類イの量に応じて乾燥運転開始時の圧縮機６の回転数を設定するようにしたことである。他の構成は実施の形態１と同じであり、同一の構成に同一の符号を付して、詳細な説明は実施の形態１のものを援用する。
【００５３】
回転ドラム１内に形成される乾燥室の前面部に布量検知手段２０を設け、回転ドラム１内で撹拌される衣類イと接触する位置に配設されている。布量検知手段２０は、モータ３の回転により回転ドラム１内で衣類イが撹拌されているときに衣類イが接触する。衣類イが布量検知手段２０に接触する回数により、回転ドラム１内の衣類イの量を検知する。衣類イの量が少ないときは、布量検知手段２０に接触する単位時間当たりの回数が少なく、衣類イの量が多いときは、回数が多い。
【００５４】
布量検知手段２０により衣類イの量を判断して、乾燥運転開始時の圧縮機６の上限回転数を設定して圧縮機６を駆動する。つまり、衣類イの量が多いときは、上限回転数を高く（ｒ１）設定し、衣類イの量が少ないときは、上限回転数を低く（ｒ４）に設定して圧縮機６を駆動する。衣類イの量が少ないときは乾燥時間が短くなるため、圧縮機６の効率の高い回転数に設定して乾燥することでさらに省エネ性を向上し、低騒音化することができる。
【００５５】
（実施の形態５）
図１０は、本発明の第５の実施の形態の衣類乾燥機のシステム概念図、図１１は、同衣類乾燥機を運転した時の乾燥用空気の温度とヒートポンプ装置の冷媒の温度と圧縮機の回転数の変化を示す図である。本実施の形態の特徴は、回転ドラム１に供給する乾燥用空気の温度を検知する温風温度検知手段２１を設け、制御手段１９は、温風温度検知手段２１により検知した温風の温度により圧縮機６の回転数を制御するようにしたことである。他の構成は実施の形態１と同じであり、同一の構成に同一の符号を付して、詳細な説明は実施の形態１のものを援用する。
【００５６】
図１０に示すように、循環風路１４を流れる乾燥用空気の温度を検知する温風温度検知手段２１を放熱器７の下流側で、回転ドラム１との間に設けている。制御手段１９は、この温風温度検知手段２１の情報により圧縮機６の回転を制御するようにしている。また、図１１に示すように、乾燥用空気の温度と冷媒の温度には相関があり、乾燥用空気の温度を温風温度検知手段２１で検知することにより、実施の形態１と同様に、冷媒の温度が標準温度ｔに達しないように圧縮機６の回転数の上限値を、段階的にｒ１からｒ２へ制限することができる。
【００５７】
乾燥初期は、上限をｒ１に設定して圧縮機６を駆動させているが、冷媒の温度が上昇してくると、段階的に上限回転数を下げていき、冷媒の温度が標準温度ｔに達しない状態で安定する回転数ｒ２まで低下させる。このことにより、冷媒の温度が標準温度ｔに達していないので、圧縮機６の回転数はｒ２で安定した状態になる。
【００５８】
このように、圧縮機６の回転数の上限値を冷媒の温度が標準温度ｔに達しないように段階的に低下させて制限することにより、乾燥工程の恒率乾燥時において圧縮機６の回転数を安定した状態にでき、圧縮機６の回転数の増減にともなう電力ロスを抑えて消費電力量を低減することができる。また、回転数の増減に伴うヒートポンプ装置５の管路１０の共振点と一致してしまう回転数を最小限に抑えることができ、低騒音化も行なうことができる。
【産業上の利用可能性】
【００５９】
以上のように、本発明にかかる衣類乾燥機は、圧縮機の回転数の変動を少なくして省エネ性を向上するとともに、運転時の騒音を低くすることができるので、衣類乾燥機として有用である。
【符号の説明】
【００６０】
１    回転ドラム
３    モータ
５    ヒートポンプ装置
６    圧縮機
７    放熱器
８    絞り手段
９    吸熱器
１０  管路
１１  送風ファン
１４  循環風路
１７  冷媒温度検知手段
１８  回転数検知手段
１９  制御手段
【図１】
2013081638.tif 000003
【図２】
2013081638.tif 000004
【図３】
2013081638.tif 000005
【図４】
2013081638.tif 000006
【図５】
2013081638.tif 000007
【図６】
2013081638.tif 000008
【図７】
2013081638.tif 000009
【図８】
2013081638.tif 000010
【図９】
2013081638.tif 000011
【図１０】
2013081638.tif 000012
【図１１】
2013081638.tif 000013
【図１２】
2013081638.tif 000014